(57)【要約】【課題】モバイルタイプの子機を子供や老人が持っている場合でも確実な電池充電操作を行うためのシステム、および電池残量が低下しても、行方不明時の捜索等の重要な特定の指示に対する応答ではモバイル機器からの確実な連絡が得られるシステムが望まれる。【解決手段】子機の電池残量が低下しても子機の電池充電が迅速に実施されない場合には、親等が保有する親機上に、子機の電池残量低下を表示する。また子機の電池残量が低下して動作に支障が出る恐れのある場合には特定の指示内容を子機内の不揮発メモリへ格納する、あるいは管理サーバー上に格納しておき、電池残量が十分な値に復帰した後で指示に応答した動作が遂行できるようにする。これにより、子供等が保有する子機の電池残量低下を親が監視でき残量切れを防止でき、また子機の電池残量が不足状態になっても特定の重要な指示に対して電池残量復帰後に応答できる。【選択図】  図１
2005064571.tif 000002
【特許請求の範囲】
【請求項１】
第一の電池と第一の電池残量検出手段と第一の送受信部を具備した第一の情報伝達装置と、第二の送受信部と第二の電池残量表示部を具備した第二の情報伝達装置からなる情報伝達システムであって、第一の情報伝達装置の電池残量が第二の閾値以下に低下した場合に、第一の情報伝達装置から第二の情報伝達装置へ第一の情報伝達装置の電池残量情報を伝達し第二の電池残量表示部に第一の情報伝達装置の電池残量情報を表示する機能を備えたことを特徴とする情報伝達システム。
【請求項２】
前記第一の情報伝達装置はさらに第一の電池残量表示部を具備し、第一の情報伝達装置の電池残量が第一の閾値以下に低下した場合に、第一の電池残量表示部に第一の情報伝達装置の電池残量情報を表示する機能を備えたことを特徴とする請求項１記載の情報伝達システム。
【請求項３】
前記第一の閾値は前記第二の閾値と同等以上の値、すなわち、同等もしくはより充電された状態の値に設定されたことを特徴とする請求項２記載の情報伝達システム。
【請求項４】
前記第一の電池残量表示部はさらに動物や人間等の生物を視覚的あるいは聴覚的に擬似表現する擬似表現手段を含むことを特徴とする請求項２または３のいずれかに記載の情報伝達システム。
【請求項５】
前記第二の情報伝達装置から第一の情報伝達装置へ送信されてくる命令は、重要度の低い第一の命令と重要度の高い第二の命令に識別されて、第一の情報伝達装置の電池残量が第三の閾値以下に低下した場合には、第二の情報伝達装置から第一の情報伝達装置へ送信された命令の中で、第二の命令のみに対して第一の情報伝達装置が応答するように制御されたことを特徴とする請求項１から４のいずれかに記載の情報伝達システム。
【請求項６】
前記第一の情報伝達装置はさらに不揮発メモリを具備し、第二の情報伝達装置から第一の情報伝達装置へ送信されてくる命令は、重要度の低い第一の命令と重要度の高い第二の命令に識別されて、第一の情報伝達装置の電池残量が第四の閾値以下に低下した場合には、第二の情報伝達装置から第一の情報伝達装置へ送信された命令の中で、第二の命令のみを不揮発メモリに格納することを特徴とする請求項１から４のいずれかに記載の情報伝達システム。
【請求項７】
前記情報伝達システムは、さらに前記第一の情報伝達装置と前記第二の情報伝達装置の間で送受信される命令と実行状態を管理する管理サーバーを含み、前記管理サーバーは第二の情報伝達装置から第一の情報伝達装置へ送信される命令および第一の情報伝達装置の命令実行状況を管理して、第二の情報伝達装置から指示されて第一の情報伝達装置で未実行状態にある未実行命令を前記管理サーバー内に格納することを特徴とする請求項１から４のいずれかに記載の情報伝達システム。
【請求項８】
前記管理サーバーから前記第一の情報伝達装置への未実行命令送信が、一定時間間隔毎の送信や一定時刻毎の送信等の自動的な送信で実現されることを特徴とする請求項７記載の情報伝達システム。
【請求項９】
前記第一の情報伝達装置からの未実行命令送信要求に応答して前記管理サーバーから前記第一の情報伝達装置へ未実行命令が送信されることを特徴とする請求項７記載の情報伝達システム。
【請求項１０】
前記第一の電池残量が第五の閾値以上に上昇した場合に、第一の情報伝達装置から管理サーバーに対して未実行命令送信要求が送信されることを特徴とする請求項９記載の情報伝達システム。
【請求項１１】
第一の電池と第一の電池残量検出手段と第一の送受信部を具備した第一の情報伝達装置から電池残量情報の伝達を受ける、第二の送受信部と第二の電池残量表示部を具備した情報伝達装置であって、第一の情報伝達装置の電池残量が第二の閾値以下に低下した場合に、第一の情報伝達装置から第一の情報伝達装置の電池残量情報の伝達を受け、前記第二の電池残量表示部に前記第一の情報伝達装置の電池残量情報を表示することを特徴とする情報伝達装置。
【請求項１２】
第一の電池と第一の電池残量検出手段と第一の送受信部を具備した情報伝達装置であって、第一の電池残量が第二の閾値以下に低下した場合に、第二の送受信部と第二の電池残量表示部を具備した第二の情報伝達装置に第一の電池の電池残量情報を伝達し、第二の情報伝達装置の第二の電池残量表示部に第一の電池残量情報を表示させることを特徴とする情報伝達装置。
【請求項１３】
請求項１２記載の情報伝達装置はさらに第一の電池残量表示部を具備し、電池残量が第一の閾値以下に低下した場合に、第一の電池残量表示部に前記第一の電池残量情報を表示することを特徴とする情報伝達装置。
【請求項１４】
前記第一の閾値は第二の閾値と同等以上の値に設定されたことを特徴とする請求項１３記載の情報伝達装置。
【請求項１５】
前記第一の電池残量表示部はさらに動物や人間等の生物を視覚的あるいは聴覚的に擬似表現する擬似表現手段を含むことを特徴とする請求項１２から１４のいずれかに記載の情報伝達装置。
【請求項１６】
前記第一の電池を充電する発電部を具備したことを特徴とする請求項１２から１５のいずれかに記載の情報伝達装置。
【発明の詳細な説明】
【０００１】
【発明の属する技術分野】
本発明は、情報伝達システム及び情報伝達装置に関する。
【０００２】
【従来の技術】
従来の位置検索システムの事例として、モバイル機器を子供や老人に持たせて、その子供や老人が所在不明となった場合、子供や老人がモバイル機器を操作しなくても別の情報伝達装置等からの呼びかけにより自動的にモバイル機器が起動し現在の位置情報を伝達する防犯システムとして、例えばＧＰＳ位置検索情報と携帯電話網を活用してのサービスが既に実用化されている（例えば、特許文献１の第３−５頁、第１図等参照）。また、モバイル機器の電池残量低下時の残量表示は、該当するモバイル機器自体の表示部に表示されることが一般的である。
【０００３】
【特許文献１】
特開２００３−１４９３１７号公報
【０００４】
【発明が解決しようとする課題】
モバイル機器を子供や老人が持っている場合には、該当するモバイル機器自体の表示部に電池残量表示を行なっても、的確な充電操作が行なわれない場合がある。また、電池残量が低下しても、行方不明時の捜索等の特定の指示に対する応答ではモバイル機器からの確実な連絡が得られることが望まれる。
【０００５】
【課題を解決するための手段】
上記の課題を解決するため、本発明による情報伝達システム及び情報伝達装置では、モバイル機器（以下、子機と称す）の電池残量が低下した場合、親や警備会社等が保有する機器（以下、親機と称す）上に子機の電池残量低下を表示するようにする。また、子機の電池残量が低下した場合に、特定の指示内容を子機内の不揮発メモリへ格納する、あるいは管理サーバー上に格納しておくことで、電池残量が復帰した後で指示に応答した動作が遂行できるようにする。
【０００６】
すなわち、本発明による親機は、第一の電池と第一の電池残量検出手段と第一の送受信部を具備した子機から電池残量情報の伝達を受ける、第二の送受信部と第二の電池残量表示部を具備した情報伝達装置であって、子機の情報伝達装置の電池残量が第二の閾値以下に低下した場合に、電池残量情報の伝達を受けとり、第二の電池残量表示部に子機の電池残量情報を表示するようにしたものである。
【０００７】
また本発明による子機は、第一の電池と第一の電池残量検出手段と第一の送受信部を具備した情報伝達装置であって、第一の電池残量が第二の閾値以下に低下した場合に、第二の送受信部と第二の電池残量表示部を具備した親機に電池残量情報を伝達し、親機の第二の電池残量表示部に子機の電池残量情報を表示させるようにしたものである。
また子機はさらに第一の電池残量表示部を具備し、電池残量が第一の閾値（第一の閾値は第二の閾値と同等以上の値）以下に低下した場合に、第一の電池残量情報を表示するようにしたものである。
また子機の電池残量表示部はさらに動物や人間等の生物を視覚的あるいは聴覚的に擬似表現する擬似表現手段を含むようにしたものである。
【０００８】
また本発明で、親機から子機へ送信されてくる命令は、重要度の低い第一の命令と重要度の高い第二の命令に識別されて、子機の電池残量が第三の閾値以下に低下した場合には、親機から子機へ送信された命令の中で、第二の命令のみに対して子機が応答するようにし、更にまた不揮発メモリを具備することにより、子機の電池残量が第四の閾値以下に低下した場合には、第二の命令のみを不揮発メモリに格納するようにしたものである。
【０００９】
【発明の実施の形態】
以下、本発明の実施例について説明する。
図１は、本発明の一実施例の子機のブロック図である。１１は子供や老人が持つモバイル機器である子機全体を示し、その内部には、位置検索のためのＧＰＳアンテナ１２および位置検索処理部１３、親機と情報通信するための送受信部１４、各部へ電源を供給する電源回路１５および電池１６、電池に蓄電するための発電部１７、子機に電池残量を表示する電池残量表示部１８、各部を制御するマイコン１９、不揮発メモリ１１０を構成要素として含む。
【００１０】
図２は、本発明の一実施例の親機のブロック図である。２１は親機全体を示し、その内部には、子機の位置を表示する位置情報表示部２２、子機と情報通信するための送受信部２３、各部へ電源を供給する電源回路２４および電池２５、親機の電池残量を表示する電池残量表示部２６、対応する親機と子機の関係で登録された子機から送信された電池残量情報にもとづいて子機の電池残量を表示する電池残量表示部２７、各部を制御するマイコン２８を構成要素として含む。
【００１１】
図３は、本発明の一実施例である携帯電話網を利用した遠隔地連絡システムを表すシステム図であり、携帯電話会社設備３１、特殊命令待受管理設備３２、携帯電話網３３、基地局３４、基地局３５、子機３６、親機３７を構成要素として含む。
図４は子機の電池特性図の一例である。
図５は子機の外観図の一例、図６は子機の外観図の他の一例である。
【００１２】
以下、本発明における動作を説明する。
図４に示す通り、時刻ｔが大きくなるにつれ、子機に装着された電池の残量は低下し電池電圧が低下していく。
電圧Ｖ１、Ｖ２、Ｖ３、Ｖ４は、
Ｖ１≧Ｖ２≧Ｖ３≧Ｖ４
なる関係に設定されている。図１の子機１１において、電池１６出力はマイコン１９のアナログ／デジタル変換器（以下変換器と称す）よりマイコン１９へ入力されて、マイコン１９にて電池電圧値を判定することができる。
電池電圧値が低下してＶ１に到達すると、マイコン１９からの制御で電池残量表示部１８に電池残量が少ないことを表示する。
【００１３】
このときの表示外観の一例が図５および図６である。図５は電池残量が多いときの一例である。図１の電池残量表示部１８に相当する表示部５１は、キャラクター画像表示部５２とバー表示部５３で構成されている。図５は電池残量が多いときの例で、キャラクター画像表示部５２のキャラクターは満腹を示す笑顔等の表示がなされ、子供や老人にわかりやすい表示手段として効果的である。図６は逆に電池残量が少ないときの例で、キャラクター画像表示部５２のキャラクターは空腹を示す悲しい顔等の表示がなされる。また図示していないがスピーカーを搭載して、電池残量が多いときには「お腹が一杯です」等の満腹状態を示す言語音声を発生し、残量が少ないときには「お腹が減っています」等の空腹状態を示す言語音声を発生するのもわかりやすい表示手段として効果的である。
【００１４】
さらに電池電圧値が低下してＶ２に到達すると、マイコン１９からの制御で送受信部１４を介して、図２の親機２１へ情報が伝達される。
親機２１では送受信部２３で受信された情報をマイコン２８へ取り込んで子機の電池残量不足を認識すると直ちに、マイコン２８からの制御で電池表示部２７へ子機の電池残量が少ないことを表示する。
【００１５】
Ｖ１からＶ２の間で子機の電池充電を迅速に実施できれば親機への連絡はなされないが、子機の電池充電が迅速に実施されない場合には親機へ連絡が入る。
さらに子機の電池電圧値が低下してＶ３に到達すると、マイコン１９の制御により子機の動作に制限を設けて、緊急を要さない指示は拒否し、緊急の捜査指示による位置連絡等のあらかじめ登録された特殊命令のみを受付ける特殊命令受付状態とすることで電力の消耗を抑える。
さらに子機の電池電圧値が低下してＶ４に到達すると、位置検索や情報送信に必要な電力も保証できない等、動作に支障が出る恐れのある状態となるため、マイコン１９は不揮発メモリ１１０に特殊命令内容を格納し、位置検索や情報送信に必要な電力状態に復帰後に特殊命令に従った動作を遂行する。
【００１６】
あるいは、図３の特殊命令待受管理設備３２のようなサーバーを保有する設備を含む連絡システムが構築された環境下であれば、親機からの命令を常に上記サーバー内に一時格納し、子機が命令内容を遂行した時点で該当する格納された命令を消去することで、未実行の命令内容をサーバー上に保管することができる。
この場合、子機の電池電圧値が低下してＶ４に到達した後でも、位置検索や情報送信に必要な電力状態に復帰後にサーバー上に保管された未実行の命令内容を受信して、遂行することができる。
【００１７】
また、図１の子機１１において、発電部１７の一例としては、太陽電池が考えられる。また、別の一例としては、万歩計（登録商標）に使われるような振動検出器から得られる振動エネルギーを徐々に蓄積する構成も考えられる。これらの発電部１７と併用することで、子機の電池電圧値が低下してＶ４に到達した後に、子機の利用者が電池充電操作をできない状況下におかれていたとしても、位置検索や情報送信に必要な電池電圧状態に子機が自動復帰することができ、電池電圧復帰後に前記未実行の命令内容を遂行できる。
【００１８】
以上説明したように、本発明によれば、例えば子供が防犯用に子機を保有していても管理者である親が親機側から子機の電池残量低下を認識できるので、子機の電池残量管理が子供任せにならず、防犯機器としての信頼性が向上する。
また、子機の電池残量が低下しても、緊急の捜査指示による位置連絡等のあらかじめ登録された特殊命令に限定しての省電力動作を行なったり、特殊命令を子機内の不揮発メモリもしくは管理設備のサーバーに格納しておいて、電池残量回復後に応答することができるので、特殊命令を確実に遂行でき、防犯機器としての信頼性が向上する。
また、子機内に発電部を設けることで、自動でも電池残量が回復して特殊命令を確実に遂行でき、防犯機器としての信頼性が向上する。
【００１９】
【発明の効果】
本発明によれば、信頼性の高い情報伝達システム及び情報伝達装置を提供することができる。
【図面の簡単な説明】
【図１】本発明の一実施例の子機のブロック図である。
【図２】本発明の一実施例の親機のブロック図である。
【図３】本発明の一実施例である携帯電話網を利用した遠隔地連絡システムを表すシステム図である。
【図４】本発明の一実施例の子機の電池特性図の一例である。
【図５】本発明の一実施例の子機の外観図の一例である。
【図６】本発明の一実施例の子機の外観図の他の一例である。
【符号の説明】
１１−子機、１２−ＧＰＳアンテナ、１３−位置検索処理部
１４−送受信部、１５−電源回路、１６−電池、１７−発電部
１８−電池残量表示部、１９−マイコン、１１０−不揮発メモリ
２１−親機、２２−位置情報表示部、２３−送受信部、２４−電源回路
２５−電池、２６、２７−電池残量表示部、２８−マイコン
３１−携帯電話会社設備、３２−特殊命令待受管理設備
３３−携帯電話網、３４、３５−基地局、３６−子機、３７−親機
５１−表示部、５２−−キャラクター画像表示部、５３−−バー表示部
【図１】
2005064571.tif 000003
【図２】
2005064571.tif 000004
【図３】
2005064571.tif 000005
【図４】
2005064571.tif 000006
【図５】
2005064571.tif 000007
【図６】
2005064571.tif 000008